(57)【要約】      （修正有）【課題】立体構造の凹凸が著しく、２種類以上の色の異なる色紗を含有することにより、綺麗なカラー・フリッカー効果を有するシャトル織物を提供する。【解決手段】複数本の第１の方向の紗とこれに垂直な第２の方向の紗とから紡績され、第１の方向の紗は収縮率が３％よりも大きい少なくとも１本の紗糸Ｙを含み、第２の方向の紗は少なくとも２種類の互いに色の異なる紗糸Ｃ１、Ｃ２を含む。また、紗糸Ｙの一部分が少なくとも２本の隣接する第２の方向の紗の下に位置し、紗糸Ｙの収縮により、第２の方向の紗が押し上げられて突出領域を生成し、突出領域のピーク部に位置する第２の方向の紗の中心箇所Ｈ１が、陥没領域の谷部に位置する第２の方向の紗の頂端箇所Ｈ２よりも高くなっている。【選択図】図２
0003175729.tif 000002
【実用新案登録請求の範囲】
【請求項１】
複数本のA方向紗とA方向紗に垂直なB方向紗とから紡績されてなる織物であって、前記A方向紗は、収縮率が3％よりも大きい少なくとも１本の紗糸（Y）を含み、前記B方向紗は、少なくとも２種類の互いに色の異なる紗糸（C1,C2）を含み、１本のA方向紗と１本のB方向紗の交差部を一つの組織点とした時、紗糸（Y）は、その一部分が少なくとも２個の連続した組織点においてB方向紗の下に位置するよう配置され、紗糸（Y）の収縮により、前記B方向紗が押し上げられて突出領域を生成し、突出領域のピーク部に位置するB方向紗の中心箇所（H1）が、陥没領域の谷部に位置するB方向紗の頂端箇所（H2）よりも高くなっていることを特徴とする、カラー・フリッカー効果を具するシャトル織物。
【請求項２】
紗糸（Y）は、その弾性収縮率が3％よりも大きい紗糸であることを特徴とする、請求項１に記載のカラー・フリッカー効果を具するシャトル織物。
【請求項３】
紗糸（Y）は、その沸水収縮率が3％よりも大きい紗糸であることを特徴とする、請求項１に記載のカラー・フリッカー効果を具するシャトル織物。
【請求項４】
紗糸（C1,C2）が何れも前記突出領域に位置し、且つ該突出領域の左側のみに、その中の１種類の色の紗糸（C1）を少なくとも１本配置したことを特徴とする、請求項１に記載のカラー・フリッカー効果を具するシャトル織物。
【請求項５】
紗糸（C1,C2）が何れも突出領域に位置し、且つ該突出領域の左側及び右側に、最左側および最右側に他の色の紗糸（C2）を配置することなく、１種類の色の紗糸（C1）を少なくとも１本配置したことを特徴とする、請求項１に記載のカラー・フリッカー効果を具するシャトル織物。
【請求項６】
紗糸（C1,C2）の中の1種類の色の紗糸（C1）が陥没領域に位置し、他の色の紗糸（C2）が突出領域に位置することを特徴とする、請求項１に記載のカラー・フリッカー効果を具するシャトル織物。
【請求項７】
複数本のA方向紗とA方向紗に垂直なB方向紗とから紡績されてなる織物であって、前記A方向紗は、互いに収縮率の異なる少なくとも２本の紗糸（Y1, Y2）を含み、前記B方向紗は、少なくとも２種類の互いに色の異なる紗糸（C1,C2）を含み、１本のA方向紗と１本のB方向紗の交差部を一つの組織点とした時、紗糸Y2に比較して収縮率の高い紗糸Y1は、その一部分が少なくとも２個の連続する組織点においてB方向紗の下に位置するよう配置され、紗糸Y1の収縮により、B方向紗が押し上げられて突出領域を生成し、突出領域のピーク部に位置するB方向紗の中心箇所（H1）が、陥没領域の谷部に位置するB方向紗の頂端箇所（H2）よりも高くなっていることを特徴とする、カラー・フリッカー効果を具するシャトル織物。
【請求項８】
紗糸Y1が、紗糸Y2に比較して弾性収縮率の大きい紗糸であることを特徴とする、請求項７に記載のカラー・フリッカー効果を具するシャトル織物。
【請求項９】
紗糸Y1が、紗糸Y2に比較して沸水収縮率の大きい紗糸であることを特徴とする、請求項７に記載のカラー・フリッカー効果を具するシャトル織物。
【請求項１０】
紗糸C1及び紗糸C2が何れも突出領域に位置し、且つ該突出領域の左側のみに、その中の１種類の色の紗糸C1を少なくとも１本配置したことを特徴とする、請求項７に記載のカラー・フリッカー効果を具するシャトル織物。
【請求項１１】
紗糸C1及び紗糸C2が何れも突出領域に位置し、且つ該突出構造領域の左側及び右側には、最左側および最右側に異なる色の紗糸C2を配置することなく、１種類の色の紗糸C1を少なくとも１本配置したことを特徴とする、請求項７に記載のカラー・フリッカー効果を具するシャトル織物。
【請求項１２】
紗糸C1及び紗糸C2の中の、１種類の色の紗糸C1が陥没領域に位置し、他の色の紗糸C2が突出領域に位置したことを特徴とする、請求項７に記載のカラー・フリッカー効果を具するシャトル織物。
【考案の詳細な説明】
【技術分野】
【０００１】
本考案は、凹凸表面を有し、美しいカラー・フリッカー効果を具するシャトル織物に関する。
【背景技術】
【０００２】
繊維および織物の色を、より生き生きとして変化に富むものとするために、数多くの研究がなされている。一般に、経方向紗及び緯方向紗として、差異の非常に大きい２種類の色を使用してカラー・フリッカー効果を達成しているが、差異の最も大きい補色関係にある色を使用することもある。
【０００３】
例えば、特許文献１には、光を乱反射する異形断面繊維を使用して、カラー・フリッカー効果を強化し、同時に色の選択範囲をも拡大したカラー・フリッカー効果を具する織物が記載されている。然しながら、この織物は、組織構造が立体的でないため、そのカラー・フリッカー効果が十分ではない。
【０００４】
また、特許文献２には、模様の設計（織物組織の設計）を利用して、浮紗を有する組織を紡績し、且つ浮紗の両側にそれぞれ異なる色の色紗を配置し、異なる角度から観察する時に、それぞれ異なる色に見える織物が記載されている。しかし、このものは、浮紗の高低差が非常に小さいので、同じ角度から観察する時に、そのカラー・フリッカー効果があまり高くない。
【先行技術文献】
【特許文献】
【０００５】
【特許文献１】特許2001-336041号公報
【特許文献２】米国特許2008163952号明細書
【考案の概要】
【考案が解決しようとする課題】
【０００６】
本考案が解決しようとする課題は、立体構造の凹凸が著しく、２種類以上の色の異なる色紗を含有することにより、綺麗なカラー・フリッカー効果を具するシャトル織物を提供することにある。
【課題を解決するための手段】
【０００７】
本考案のカラー・フリッカー効果を具するシャトル織物は、複数本のA方向紗とA方向紗に垂直なB方向紗とから紡績されてなる織物であって、前記A方向紗は、収縮率が3％よりも大きい少なくとも１本の紗糸（Y）を含み、前記B方向紗は、少なくとも２種類の互いに色の異なる紗糸（C1,C2）を含み、１本のA方向紗と１本のB方向紗の交差部を一つの組織点とした時、紗糸（Y）は、その一部分が少なくとも２個の連続した組織点においてB方向紗の下に位置するよう配置され、紗糸（Y）の収縮により、前記B方向紗が押し上げられて突出領域を生成し、突出領域のピーク部に位置するB方向紗の中心箇所（H1）が、陥没領域の谷部に位置するB方向紗の頂端箇所（H2）よりも高くなっている。
【０００８】
前記紗糸（Y）は、その弾性収縮率が3％よりも大きい紗糸であってもよいし、沸水収縮率が3％よりも大きい紗糸であってもよい。
前記紗糸（C1,C2）が何れも前記突出領域に位置し、且つ該突出領域の左側のみに、その中の１種類の色の紗糸（C1）を少なくとも１本配置することがある。
或いは、前記紗糸（C1,C2）が何れも突出領域に位置し、且つ該突出構造領域の左側及び右側に、最左側および最右側に他の色の紗糸（C2）を配置することなく、１種類の色の紗糸（C1）を少なくとも１本配置することもある。
前記紗糸（C1,C2）の中の1種類の色の紗糸（C1）が陥没領域に位置し、他の色の紗糸（C2）が突出領域に位置することもある。
【０００９】
また、本考案の別のカラー・フリッカー効果を具するシャトル織物は、複数本のA方向紗とA方向紗に垂直なB方向紗とから紡績されてなる織物であって、前記A方向紗は、互いに収縮率の異なる少なくとも２本の紗糸（Y1, Y2）を含み、前記B方向紗は、少なくとも２種類の互いに色の異なる紗糸（C1,C2）を含み、１本のA方向紗と１本のB方向紗の交差部を一つの組織点とした時、紗糸Y2に比較して収縮率の高い紗糸Y1は、その一部分が少なくとも２個の連続した組織点においてB方向紗の下に位置するよう配置され、紗糸Y1の収縮により、B方向紗が押し上げられて突出領域を生成し、突出領域のピーク部に位置するB方向紗の中心箇所（H1）が、陥没領域の谷部に位置するB方向紗の頂端箇所（H2）よりも高くなっている。
【００１０】
この場合、紗糸Y1は、紗糸Y2に比較して弾性収縮率の大きい紗糸であっても、紗糸Y2に比較して沸水収縮率の大きい紗糸であってもよい。
【考案の効果】
【００１１】
本考案によれば、A方向紗の収縮を利用し、B方向紗を大きく押し上げて突出構造を形成するので、織物が立体的な凹凸表面を有し、且つB方向紗が、少なくとも２種類の色の異なる紗糸を含むため、簡単な構造で、綺麗なカラー・フリッカー効果を発揮することができる。
【図面の簡単な説明】
【００１２】
【図１】本考案の実施例１を示すシャトル織物の組織図である。
【図２】本考案の実施例１を示すシャトル織物の断面図である。
【図３】本考案の実施例２を示すシャトル織物の組織図である。
【図４】本考案の実施例２を示すシャトル織物の断面図である。
【考案を実施するための形態】
【００１３】
以下、本考案の実施例を図面に基づいて詳細に説明するが、この実施例は本考案の権利範囲を制限するものではない。
図１及び図２は、本考案の実施例１を示す。
図１は、実施例１のカラー・フリッカー効果を具するシャトル織物の組織図であり、図２は、図１のＩ−Ｉ位置の断面図である。
【００１４】
図１及び図２に示すように、本考案のシャトル織物は、複数本のA方向紗とA方向紗に垂直なB方向紗とから紡績されて成る。
横糸であるA方向紗は、収縮率が3％よりも大きい少なくとも１本の紗糸Yを含む。例えば、A方向紗は、弾性収縮率が20％である１種類の紗糸Yを含む。
１本のA方向紗と１本のB方向紗の交差部を一つの組織点とすると、紗糸Yは、紡績する時に、その一部分が少なくとも２個の連続した組織点において、B方向紗の下に位置するよう配置される。すなわち、紗糸Yの一部分は、少なくとも２本の隣接するB方向紗の下に位置する。
【００１５】
経糸であるB方向紗は、少なくとも２種類の互いに色の異なる紗糸C1とC2を含む。なお、実施例１では、色の異なる３種類の紗糸C1，C2，C3を用いている。
紗糸Yが収縮することにより、B方向紗が押し上げられて突出構造を呈し、突出領域のピーク部に位置するB方向紗（本実施例では紗糸C2）の中心箇所（H1）が、陥没領域の谷部に位置するB方向紗（本実施例では紗糸C3）の頂端箇所（H2）よりも高くなっている。
【００１６】
紗糸Yは、3％よりも大きい弾性収縮率を有する紗糸であってもよく、沸水収縮率が3％よりも大きい紗糸であってもよい。例えば、紗糸Yは、Spandexで被覆した弾性紗を用いる。沸水収縮率が3％よりも大きい紗糸Yを用いた場合は、紡績後に高温処理を施すと、著しい凹凸構造を生成できる。
【００１７】
紗糸C1と紗糸C2の色収差値が小さいほどカラー・フリッカー効果が悪くなるので、紗糸C1と紗糸C2の色収差値△Eは、8よりも小さくないのが好ましい。
【００１８】
紗糸C1と紗糸C2が何れも凹凸構造の突出領域に位置し、且つ突出領域の左側に少なくとも１本の紗糸C1を配置して右側に紗糸C1を配置しない時に、観察者が織物表面の左辺から右辺方向を観ると、織物表面の紗糸C1の色が見え、織物表面の右辺から左辺方向を観ると、紗糸C1の色が見えないものである。
【００１９】
紗糸C1と紗糸C2が何れも突出領域に位置し、且つ突出領域の左側及び右側に少なくとも１本の紗糸C1を配置して最左側と最右側に他の色の紗糸C2を配置しない時に、織物表面の左辺から右辺方向を観ても、織物表面の右辺から左辺方向を観ても、織物表面のカラー・フリッカーの紗糸C1の色が見える。
【００２０】
紗糸C1が陥没領域に位置し、紗糸C2が突出領域に位置しても、カラー・フリッカー効果を奏することができるが、その効果はあまり高くない。
【００２１】
紗糸C1と紗糸C2の内、少なくとも１種類の紗糸の断面を異形断面としてもよい。また、異なる異形断面を利用して異なる光沢を有することにより、カラー・フリッカー効果を増加し、特に、紗糸C1の光沢度が比較的高く、紗糸C2の光沢度が比較的低い場合に、そのカラー・フリッカー効果が最も優れる。
【００２２】
３種類の色の異なる紗糸C1,C2,C3が何れも突出領域に配置され、更に紗糸C1が左側に位置し、紗糸C2が中央に位置して紗糸C3が右側に位置すると、織物表面の左辺から右辺方向を観ると、カラー・フリッカーの紗糸C1の色が見え、織物表面の右辺から左辺方向を観ると、カラー・フリッカーの紗糸C3の色が見える。
【００２３】
紗糸C1と紗糸C2の色収差値△Eは、紗糸C1と紗糸C2をそれぞれ紙板の上に巻き取って、Datacolorスペクトロメーター（型番：SF600）を用い、D65光源にて測定されたCIE Lab分析によって求める。
一例を挙げると、B方向紗が、2種類の互いに色の異なる紗糸C1及び紗糸Cと、染色しない紗糸C3を含み、紗糸C1が赤色で、そのCIE Lab値がL：49.65、a＝55.16、b＝27.25であり、色紗糸C2が黒色で、そのCIE Lab値がL：26.46、a＝-0.09、b＝-0.99であり、紗糸C1と紗糸C2との色収差値△Eが66.24である。
【００２４】
そして、この紗糸C1及び紗糸C2が何れも突出領域に位置し、且つ紗糸C1が突出領域の両側に位置して紗糸C2が突出構造の中央部位に位置し、染色しない紗糸C3が陥没領域に位置する。
この結果、観察者が織物表面の左辺から観ても、右辺から観ても、織物表面のフリッカー赤色が見える。
【００２５】
図３及び図４は、本考案の実施例２を示す。
図３は、実施例２のカラー・フリッカー効果を具するシャトル織物の組織図で、図４は、図３のII−II位置の断面図である。
図３及び図４に示すように、本考案の織物が複数本のA方向紗とA方向紗に垂直なB方向紗とから紡績されて成る。
【００２６】
横糸であるA方向紗は、収縮率の異なる少なくとも２本の紗糸を（Y1, Y2）含む。紗糸Y1は、紗糸Y2に比較して収縮率が高い。
１本のA方向紗と１本のB方向紗の交差部を一つの組織点とすると、収縮率の高い紗糸Y1は、紡績する時に、その一部分が少なくとも２個の連続した組織点において、B方向紗の下に位置するよう配置される。すなわち、紗糸Y1の一部分は、少なくとも２本の隣接するB方向紗の下に位置する。
【００２７】
経糸であるB方向紗は、少なくとも２種類の互いに色の異なる紗糸C1とC2を含む。なお、本実施例では、色の異なる３種類の紗糸C1，C2，C3を用いている。
紗糸Y1が収縮することにより、B方向紗が押し上げられて突出構造を呈し、突出領域のピーク部に位置するB方向紗（本実施例では紗糸C2）の中心箇所（H1）が、陥没領域の谷部に位置するB方向紗（本実施例では紗糸C3）の頂端箇所（H2）よりも高くなっている。
【００２８】
紗糸Y1及び紗糸Y2は、異なる弾性収縮率の紗糸であっても、異なる沸水収縮率の紗糸であってもよい。いずれの場合も、紗糸Y1と紗糸Y2の収縮率の差異が3％よりも大きくなるのが好ましい。具体的には、紗糸Y1の弾性収縮率を51％とし、紗糸Y2の弾性収縮率を26％とする。
例えば、紗糸Y1をSpandexで被覆した弾性紗とし、紗糸Y2をSpandexで被覆しない弾性紗とする。
また、紗糸Y1が高収縮性のポリエステル繊維であって、紗糸Y2が一般的なポリエステル繊維のように、異なる沸水収縮率の紗糸を用いた場合は、紡績された後に高温処理を施すと、著しい凹凸構造を形成できる。
【００２９】
紗糸C1と紗糸C2の色収差値が小さいほど、そのカラー・フリッカー効果が悪くなるので、紗糸C1と紗糸C2の色収差値△Eは8よりも小さくないのが好ましい。
B方向紗の紗糸の色収差値検出方法は、実施例１と同様である。
具体的には、B方向紗は、２種類の互いに色の異なる紗糸C1及びC2と、染色しない紗糸C3を含み、紗糸C1が赤色で且つそのCIE Lab値がL：49.65、a＝55.16、b＝27.25であり、色紗糸C2が黒色で且つそのCIE Lab値がL：26.46、a＝-0.09、b＝-0.99であり、色紗糸C1と色紗糸C2との色収差値△Eが66.24である。
【００３０】
そして、紗糸C1と紗糸C2が何れも突出領域に位置し、且つ紗糸C1が突出領域の両側に位置し、紗糸C2が突出領域の中央部に位置し、さらに、染色しない紗糸C3が陥没領域に位置する。
その結果、観察者が織物表面を左辺から観ても、右辺から観ても、織物表面のフリッカー赤色が見える。
【００３１】
以上の説明は、単に本考案の好ましい実施例の説明であって、本考案の権利範囲を限定するものではなく、本考案の実用新案登録請求の範囲を逸脱しない変更は、何れも本考案の権利範囲に含まれる。
【符号の説明】
【００３２】
C1  紗糸
C2  紗糸
C3  紗糸
H1  中心箇所
H2  頂端箇所
Y   紗糸
Y1  紗糸
Y2  紗糸
【図１】
0003175729.tif 000003
【図２】
0003175729.tif 000004
【図３】
0003175729.tif 000005
【図４】
0003175729.tif 000006